(57)【特許請求の範囲】
【請求項１】
ジブを有するクレーンであって、
前記ジブの材軸方向に間隔を空けて配置された複数の照明装置が、鉛直面内における前記ジブの傾きの変化に伴って自重により揺動して下を向くように前記ジブに装着され、
前記ジブに第１の滑車が設けられ、
前記第１の滑車には、前記ジブの材軸方向に沿って延びる第１のワイヤが巻き回され、
前記第１のワイヤに、複数の前記照明装置が取り付けられ、
前記第１のワイヤを引くことにより複数の前記照明装置の前後の向きを一斉に調整可能であることを特徴とするクレーン。
【請求項２】
前記ジブの前記照明装置の左右に第２の滑車が設けられ、
前記照明装置の左右に取付けられた第２のワイヤが、前記第２の滑車のそれぞれに引掛けられて前記ジブの材軸方向に沿って延び、
前記照明装置は、前記第２のワイヤを引くことにより左右の向きが調整可能であることを特徴とする請求項１に記載のクレーン。
【請求項３】
複数の前記照明装置の左右の向きを一斉に調整可能であることを特徴とする請求項２記載のクレーン。
【請求項４】
スピーカが、鉛直面内における前記ジブの傾きの変化に伴って自重により揺動して下を向くように前記ジブに装着されたことを特徴とする請求項１から請求項３のいずれかに記載のクレーン。
【請求項５】
クレーンのジブに装着されるクレーン用設備であって、
前記ジブの材軸方向に間隔を空けて配置され、鉛直面内における前記ジブの傾きの変化に伴って自重により下を向くように揺動可能である複数の照明装置と、
前記ジブに設けられる第１の滑車と、
前記第１の滑車に巻き回され、前記ジブの材軸方向に沿って延びる第１のワイヤと、
を有し、
前記第１のワイヤに、複数の前記照明装置が取り付けられ、
前記第１のワイヤを引くことにより複数の前記照明装置の前後の向きを一斉に調整可能であることを特徴とするクレーン用設備。
【請求項６】
前記ジブの前記照明装置の左右に設けられる第２の滑車と、
前記照明装置の左右に取付けられ、前記第２の滑車のそれぞれに引掛けられて前記ジブの材軸方向に沿って延びる第２のワイヤと、
を有し、
前記照明装置は、前記第２のワイヤを引くことにより左右の向きが調整可能であることを特徴とする請求項５に記載のクレーン用設備。
【請求項７】
複数の前記照明装置の左右の向きを一斉に調整可能であることを特徴とする請求項６に記載のクレーン用設備。
【請求項８】
鉛直面内における前記ジブの傾きの変化に伴って自重により揺動して下を向くように揺動可能であるスピーカを有することを特徴とする請求項５から請求項７のいずれかに記載のクレーン用設備。
【発明の詳細な説明】
【技術分野】
【０００１】
本発明は、クレーン、クレーン用照明装置およびクレーン用スピーカに関するものである。
【背景技術】
【０００２】
ビル等の工事において24時間施工を行う場合、工事に用いるクレーンに照明装置を取り付け、夜間の工事現場の照明に用いることがある。
【０００３】
図６はその一例であり、照明装置１０５が設けられたタワークレーン１０１を示す図である。タワークレーン１０１は施工中の建物１００内に設置される。照明装置１０５はタワークレーン１０１の支柱１０２に設けられ、建物１００の施工階の工事現場を照明する。その他、特許文献１にはクレーンの先端から吊り下げるフックに照明装置を設ける例が開示されている。
【先行技術文献】
【特許文献】
【０００４】
【特許文献１】特開2014-237503号公報
【発明の概要】
【発明が解決しようとする課題】
【０００５】
建物同士が近接している狭い敷地での工事では、支柱１０２に照明装置１０５を設けて図６に示すように斜め方向に照明を行い工事現場を照らすと、一部の光が敷地外に漏れて近接する建物２００を照らしてしまう等の問題があった。
【０００６】
また、タワークレーン１０１の支柱１０２に照明装置１０５を設ける場合、施工階の上昇に応じた照明装置１０５の設置が追い付かない場合もあった。さらに、特許文献１のようにクレーンフックに照明装置を設ける場合には、照明できる範囲が限定される。
【０００７】
その他、クレーンの吊荷の下の人払いの警報などをクレーンに設けたスピーカによって行う場合もあるが、前記した従来の照明装置と同様の理由により、近隣に対する騒音が問題になることがあった。
【０００８】
本発明は、前述した問題点に鑑みてなされたもので、その目的は、必要な範囲に照明や警報を行い、近隣への影響を低減できるクレーン等を提供することである。
【課題を解決するための手段】
【０００９】
前述した目的を達成するための第１の発明は、ジブを有するクレーンであって、前記ジブの材軸方向に間隔を空けて配置された複数の照明装置が、鉛直面内における前記ジブの傾きの変化に伴って自重により揺動して下を向くように前記ジブに装着され、前記ジブに第１の滑車が設けられ、前記第１の滑車には、前記ジブの材軸方向に沿って延びる第１のワイヤが巻き回され、前記第１のワイヤに、複数の前記照明装置が取り付けられ、前記第１のワイヤを引くことにより複数の前記照明装置の前後の向きを一斉に調整可能であることを特徴とするクレーンである。
また、前記ジブの前記照明装置の左右に第２の滑車が設けられ、前記照明装置の左右に取付けられた第２のワイヤが、前記第２の滑車のそれぞれに引掛けられて前記ジブの材軸方向に沿って延び、前記照明装置は、前記第２のワイヤを引くことにより左右の向きが調整可能であることも望ましい。さらに、複数の前記照明装置の左右の向きを一斉に調整可能であることも望ましい。
【００１０】
本発明では、クレーンのジブに照明装置を取り付け、これをジブの傾きの変化に伴って自重で揺動し下を向くようにすることで、簡易な構成により照明装置からの照明を必要な範囲に限定して効率的に使用し、近隣への照明の影響を低減できるようになる。またジブに照明装置を取り付けるので、常に建物より高い位置から工事現場を照らすことができ、建物の施工階があがるたびに照明装置を設置し直すような手間も掛からない。
【００１１】
また、照明装置の前後や左右の向きを調整可能とすることにより、照明の到達範囲を適切に調整できるようになる。複数の照明装置の向きを一斉に調整することも可能であり、これにより操作が容易になる。なお、前後とは平面におけるジブの材軸方向の先端側・根元側をいうものとし、左右とは平面においてジブの材軸方向を挟んだ両側をいうものとする。
【００１２】
スピーカが、鉛直面内における前記ジブの傾きの変化に伴って自重により揺動して下を向くように前記ジブに装着されることも望ましい。
本発明では、スピーカを照明装置と同様にジブに取付けることで、スピーカによる警報を必要な範囲に限定して効率的に使用し、近隣への音の影響を低減できる。
【００１３】
第２の発明は、クレーンのジブに装着されるクレーン用設備であって、前記ジブの材軸方向に間隔を空けて配置され、鉛直面内における前記ジブの傾きの変化に伴って自重により下を向くように揺動可能である複数の照明装置と、前記ジブに設けられる第１の滑車と、前記第１の滑車に巻き回され、前記ジブの材軸方向に沿って延びる第１のワイヤと、を有し、前記第１のワイヤに、複数の前記照明装置が取り付けられ、前記第１のワイヤを引くことにより複数の前記照明装置の前後の向きを一斉に調整可能であることを特徴とするクレーン用設備である。
【００１４】
また、前記ジブの前記照明装置の左右に設けられる第２の滑車と、前記照明装置の左右に取付けられ、前記第２の滑車のそれぞれに引掛けられて前記ジブの材軸方向に沿って延びる第２のワイヤと、を有し、前記照明装置は、前記第２のワイヤを引くことにより左右の向きが調整可能であることが望ましい。さらに、複数の前記照明装置の左右の向きを一斉に調整可能であることも望ましい。
【００１５】
加えて、鉛直面内における前記ジブの傾きの変化に伴って自重により揺動して下を向くように揺動可能であるスピーカを有することも望ましい。
【発明の効果】
【００１６】
本発明によれば、必要な範囲に照明や警報を行い、近隣への影響を低減できるクレーン等を提供することができる。
【図面の簡単な説明】
【００１７】
【図１】タワークレーン１を示す図
【図２】照明装置５を示す図
【図３】照明装置５の前後の向きの調整を示す図
【図４】照明装置５の左右の向きの調整を示す図
【図５】照明装置５の左右の向きの調整を示す図
【図６】タワークレーン１０１を示す図
【発明を実施するための形態】
【００１８】
以下、図面に基づいて本発明の実施形態を詳細に説明する。
【００１９】
［第１の実施形態］
図１（ａ）は、本発明の第１の実施形態に係るタワークレーン１を模式的に示す図である。図１（ａ）に示すように、タワークレーン１は施工中の建物１００内に設置される。
【００２０】
タワークレーン１では、支柱２の上端にジブ３が設けられる。タワークレーン１は、建物１００の敷地内でジブ３の水平回転や起伏を行うことで、ジブ３の先端からワイヤ等（不図示）で吊り下げた工事用資材や廃材等の移動を行う。
【００２１】
本実施形態では、タワークレーン１のジブ３に照明装置５（クレーン用照明装置）とスピーカ７（クレーン用スピーカ）が装着される。照明装置５はジブ３の材軸方向に沿って間隔を空けて複数設けられ、スピーカ７はジブ３の先端に設けられる。
【００２２】
照明装置５には例えばLED(Light Emitting Diode)照明等の指向性が高いものが用いられる。同様に、スピーカ７についても指向性の高いものが用いられる。図１（ａ）、（ｂ）の実線の矢印は照明装置５からの光の照射方向の中心を示し、鎖線の矢印はスピーカ７からの音の放射方向の中心を示す。
【００２３】
照明装置５やスピーカ７はジブ３に対して自重により揺動可能であり、図１（ｂ）に示すように、ジブ３の起伏、すなわち鉛直面内におけるジブ３の傾きの変化に伴って自重により揺動し、常に下を向くようになっている。
【００２４】
図２（ａ）はジブ３の材軸方向と直交する方向の断面を示したものであり、図２（ｂ）はジブ３の材軸方向の断面を示したものである。図２（ａ）は図２（ｂ）の線ｂ−ｂによる断面図であり、図２（ｂ）は図２（ａ）の線ａ−ａによる断面図である。
【００２５】
図２（ａ）、（ｂ）に示すように、ジブ３の内部には、ジブ３の材軸方向と直交する水平方向にピン９が設けられる。ピン９の両端は、ジブ３に取り付けた管体１１に挿入されており、ピン９には連結部材１３が設けられる。連結部材１３の下端部には照明装置５が取り付けられており、この照明装置５はピン９の軸方向を中心として鉛直面内で回転可能である。
【００２６】
このような機構により、図１（ａ）、（ｂ）で説明したように、鉛直面内におけるジブ３の傾きの変化に伴って照明装置５が自重により揺動し、常に下を向くようにできる。スピーカ７も図２（ａ）、（ｂ）と同様の構成によりジブ３の先端に取り付けることができる。ただし、図２（ａ）、（ｂ）で説明した機構は一例であり、これに限ることはない。
【００２７】
以上説明したように、本実施形態によれば、タワークレーン１のジブ３に照明装置５やスピーカ７を取り付け、これらをジブ３の傾きの変化に伴って自重で揺動し下を向くようにすることで、簡易な構成により照明装置５からの照明やスピーカ７による警報を敷地内の必要な範囲に限定して効率的に使用し、近隣への照明や音の影響を低減できるようになる。またジブ３に照明装置５やスピーカ７を取り付けるので、常に建物１００より高い位置から施工階の工事現場を照らし、吊荷の下の人払い等のための警報を行うことが可能となり、建物１００の施工階があがるたびに照明装置５等を設置し直すような手間も掛からない。
【００２８】
しかしながら、本発明はこれに限らない。例えば、本実施形態では建物１００内に設けたタワークレーン１のジブ３に照明装置５やスピーカ７を設けたが、建物１００外の敷地にタワークレーンを設置する場合にも同様に照明装置５やスピーカ７を設けることができる。また移動式のクローラークレーンのジブに同様の照明装置５やスピーカ７を設けて建物１００の施工階を照らしたりすることも可能である。
【００２９】
さらに、本発明では照明装置５の前後、左右の向きを調整するための機構を設けることも可能である。そこで、第２、第３の実施形態として、照明装置５の向きの調整機構の例を説明する。第２、第３の実施形態は第１の実施形態と異なる点について説明し、同様の点については図等で同じ符号を用いるなどして説明を省略する。また、第２、第３の実施形態で説明する機構はスピーカ７について設けることもでき、これによりスピーカ７の前後、左右の向きを調整することも可能である。
【００３０】
[第２の実施形態]
図３は本発明の第２の実施形態について説明する図であり、図３（ａ）、（ｂ）はタワークレーン１のジブ３ａについて図２（ｂ）と同様の断面を示したものである。
【００３１】
本実施形態では、図３（ａ）に示すようにジブ３ａに滑車１５とワイヤ１７が設けられる。滑車１５はジブ３ａの材軸方向と直交する水平方向を中心として回転可能である。滑車１５には、ジブ３ａの材軸方向に沿ってジブ３ａの根元側に延びるワイヤ１７が巻き回されており、ワイヤ１７に各照明装置５が取り付けられる。
【００３２】
本実施形態では、通常時（ワイヤ１７が自由に移動できる状態）では第１の実施形態と同様、照明装置５が、鉛直面内におけるジブ３ａの傾斜の変化に応じて自重により揺動して下を向く。
【００３３】
これに対し、ワイヤ１７の一端を引いて図３（ｂ）の矢印Ａに示す方向に移動させることで、全ての照明装置５が矢印Ｂに示す方向に一斉に回転する。一方、ワイヤ１７の他端を引いて矢印Ａの逆方向に移動させると全ての照明装置５が矢印Ｂの逆方向に一斉に回転し、これにより照明装置５の前後の向きを調整することができる。ここで、前後とは平面におけるジブ３ａの材軸方向の先端側・根元側をいうものとし、図３（ａ）、（ｂ）の左右に対応する。ワイヤ１７は例えば電動で操作することができる。
【００３４】
このように、ワイヤ１７等により照明装置５の前後の向きを調整可能とすることにより、照明の到達範囲を適切に調整できる。また本実施形態では複数の照明装置５の向きを一斉に調整することが可能であり、これにより操作が容易になる。なお、ワイヤ等の配置は図３の例に限定されない。照明装置５毎にワイヤ等を設け、各々の照明装置５について前後の向きを個別に調整することも可能である。
【００３５】
[第３の実施形態]
図４は本発明の第３の実施形態について説明する図であり、図４（ａ）、（ｂ）はタワークレーン１のジブ３ｂについて図２（ａ）と同様の断面を示したものである。
【００３６】
本実施形態では、図４（ａ）に示すように、ピン９に設けた連結部材１３ａの下端部を前後から挟むように一対の連結部材１９が配置される（図では一方の連結部材１９のみ示している）。連結部材１３ａの下端部と連結部材１９は、ピン９と直交する方向に設けられたピン２１によって回転可能に連結される。連結部材１９の下端部には照明装置５が取り付けられており、照明装置５は前記のピン９の他、このピン２１を中心としても回転可能である。
【００３７】
ジブ３ｂでは、ワイヤ２２が照明装置５の左右に１本ずつ接続される。ここで、左右とは平面においてジブ３ｂの材軸方向を挟んだ両側をいうものとし、図４（ａ）、（ｂ）の左右に対応する。
【００３８】
ジブ３ｂの左右両側には、ジブ３ｂの材軸方向を中心として回転する滑車２３と、ジブ３ｂの材軸方向と直交する水平方向を中心として回転する滑車２５が設けられる。照明装置５の左右のワイヤ２２は滑車２３、２５に引っ掛けられ、ジブ３ｂの左右両側においてジブ３ｂの材軸方向に沿ってジブ３ｂの根元側へと延びる。
【００３９】
本実施形態でも、通常時（ワイヤ２２が自由に移動できる状態）では第１の実施形態と同様、照明装置５が、鉛直面内におけるジブ３ｂの傾斜の変化に応じて自重により揺動して下を向く。
【００４０】
これに対し、図４（ｂ）の左のワイヤ２２を引いて矢印Ｃに示すようにワイヤ２２を移動させることにより、照明装置５がピン２１を中心として矢印Ｄに示す方向に回転する。右のワイヤ２２を引いて矢印Ｃの逆方向にワイヤ２２を移動させると、照明装置５がピン２１を中心として矢印Ｄの逆方向に回転する。これにより照明装置５の左右の向きを調整することができる。前記と同様、ワイヤ２２は例えば電動で操作することができる。
【００４１】
このように、ワイヤ２２等により照明装置５の左右の向きを調整可能とすることにより、照明の到達範囲を適切に調整できる。なお、図４では１つの照明装置５の左右の向きを調整する例を説明したが、実際には、図５に示すように各照明装置５から延びる左右のワイヤ２２をジブ３ｂの側方で一本のワイヤ２２’にまとめることで、全ての照明装置５について左右の向きを一斉に調整することが可能である。また、ワイヤ等の配置が図４、５の例に限定されることもない。
【００４２】
さらに、第３の実施形態で説明した機構は、第２の実施形態で説明した機構と組み合わせて用い、ワイヤ１７、２２等を用いて照明装置５の前後左右の向きを調整可能とすることもできる。
【００４３】
以上、添付図を参照しながら、本発明の実施形態を説明したが、本発明の技術的範囲は、前述した実施形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００４４】
１、１０１；タワークレーン
２、１０２；支柱
３、３ａ、３ｂ；ジブ
５、１０５；照明装置
７；スピーカ
１３、１３ａ、１９；連結部材
１５、２３、２５；滑車
１７、２２、２２’；ワイヤ
１００、２００；建物
【図１】
0006630549.tif 000002
【図２】
0006630549.tif 000003
【図３】
0006630549.tif 000004
【図４】
0006630549.tif 000005
【図５】
0006630549.tif 000006
【図６】
0006630549.tif 000007